(57)【要約】【課題】  伝送距離に応じて光送信レベルを調整可能な光通信装置間の伝送距離の測定において、距離測定信号の送信側での光送信レベルが受信側での受信に適切なレベルとなっておらず、受信側の受光素子にダメージを与える可能性がある。【解決手段】  出力信号光パワーが、所定の伝送路を介して接続された対向受光素子の最大光受信レベル以下でありかつ前記対向受光素子の最小受光レベルよりも前記伝送路での損失に対応する所定量大きい所定のレベルに設定された発光手段を備えている。【選択図】      図２
2015032937.tif 000002
【特許請求の範囲】
【請求項１】
出力信号光パワーが、所定の伝送路を介して接続された対向受光素子の最大光受信レベル以下でありかつ前記対向受光素子の最小受光レベルよりも前記伝送路での損失に対応する所定量大きい所定のレベルに設定された発光手段を備えていることを特徴とする光トランシーバ。
【請求項２】
対向発光素子と前記所定伝送路を介して接続された受光手段と、
前記受光手段で前記対向発光素子から受信した信号光のパワーレベルにもとづいて前記発光手段から出力する信号光のパワーレベルを決定するコントローラと
をさらに備えていることを特徴とする請求項１に記載の光トランシーバ。
【請求項３】
前記信号光パワーレベルの決定は、前記所定伝送路の伝送距離、または前記発光手段、前記対向受光素子、前記対向発光素子、前記受光手段の少なくとも１つの出力または入力特性をパラメータとして行われることを特徴とする請求項２に記載の光トランシーバ。
【請求項４】
発光手段の出力信号光パワーを、所定の伝送路を介して接続された対向受光素子の最大光受信レベル以下でありかつ前記対向受光素子の最小受光レベルよりも前記伝送路での損失に対応する所定量大きい所定のレベルに設定する発光工程を備えていることを特徴とする光トランシーバの制御方法。
【請求項５】
対向発光素子と前記所定伝送路を介して接続する受光手段で前記対向発光素子から受信した信号光のパワーレベルにもとづいて前記発光工程で出力する信号光のパワーレベルを決定するコントロール工程をさらに備えていることを特徴とする請求項４に記載の光トランシーバの制御方法。
【請求項６】
前記信号光パワーレベルの決定は、前記所定伝送路の伝送距離、または前記発光手段、前記対向受光素子、前記対向発光素子、前記受光手段の少なくとも１つの出力または入力特性をパラメータとして行われることを特徴とする請求項５に記載の光トランシーバの制御方法。
【発明の詳細な説明】
【技術分野】
【０００１】
本発明は、光トランシーバおよび制御方法に関する。
【背景技術】
【０００２】
光通信網や携帯電話回線のバックボーンなどで用いられる光通信装置において光トランシーバが搭載されている。光トランシーバを搭載する装置は、様々な通信システムへの利用が求められているのに伴い、短距離から長距離まで広範な通信距離に対応するようになってきている。ところが、光トランシーバについては、通信距離により光送信レベルが異なり、製品も異なっているので、光トランシーバを搭載する装置は通信距離に応じて異なる光トランシーバ製品を備えている。そのため、光トランシーバを搭載する装置には様々なトランシーバに対応するための開発・製造などの費用が掛かっている。そのような費用を低減させうる方法として、光トランシーバを搭載する装置内で通信距離に応じて光送信レベルを調整可能にして、光トランシーバの通信距離に対応した品種を減らすことが挙げられる。通信距離に応じて光送信レベルを調整するような技術が特許文献１に開示されている。
【０００３】
特許文献１に開示されている技術は、次の通りである。
【０００４】
まず、ＯＮＵ（Optical Network Unit）の受光レベルモニタ部が、ＰＤ（Photo Diode）により受光された光量レベルを検出し、その検出された光量レベルに基づいて、光出力レベル制御部が光出力レベルの調整を行う。
【０００５】
次に、ＯＬＴ（Optical Line Terminal）の距離測定制御部の制御により、ＯＬＴからＯＮＵまでの距離を測定する。
【０００６】
この距離測定方法としては、例えばまず、距離測定開始の信号をＯＬＴから送信し、その距離測定信号に対するＯＮＵからの返信信号を受信し、この距離測定開始の信号送信から返信信号の受信までの遅延時間によって距離を測定する方法などがある。
【０００７】
こうして測定された距離情報に基づいて、ＯＮＵ制御情報生成部がその距離における伝送損失を算出し、その伝送損失に応じて、１Ｇｂｐｓ、１０Ｇｂｐｓそれぞれの信号についての光出力のレベルを決定する。
【先行技術文献】
【特許文献】
【０００８】
【特許文献１】特開２００８−０５４２４４号公報
【発明の概要】
【発明が解決しようとする課題】
【０００９】
特許文献１に開示されている技術において、距離測定の前に、ＯＬＴの送信する光信号のレベルがＯＮＵの受光素子による光信号の受信に適切なレベルとなっていることが担保されていない。このため、受光素子としてＡＰＤ（Avalanche Photo Diode）が用いられる場合、ＯＬＴの送信した光信号がＯＮＵにて高いレベルで受信されると、高感度のＡＰＤが破壊されてしまう可能性が懸念される。
【００１０】
つまり、伝送距離に応じて光送信レベルを調整可能な光通信装置間の伝送距離の測定において、距離測定信号の送信側での光送信レベルが受信側での受信に適切なレベルとなっておらず、受信側の受光素子にダメージを与える可能性があることが課題である。
【００１１】
本発明の目的は、この課題を解決する光トランシーバおよび制御方法を提供することである。
【課題を解決するための手段】
【００１２】
本発明の光トランシーバは、出力信号光パワーが、所定の伝送路を介して接続された対向受光素子の最大光受信レベル以下でありかつ前記対向受光素子の最小受光レベルよりも前記伝送路での損失に対応する所定量大きい所定のレベルに設定された発光手段を備えていることを特徴とする。
【００１３】
本発明の光トランシーバの制御方法は、発光手段の出力信号光パワーを、所定の伝送路を介して接続された対向受光素子の最大光受信レベル以下でありかつ前記対向受光素子の最小受光レベルよりも前記伝送路での損失に対応する所定量大きい所定のレベルに設定する発光工程を備えていることを特徴とする。
【発明の効果】
【００１４】
本発明によれば、伝送距離に応じて光送信レベルを調整可能な光通信装置間の伝送距離の測定において、距離測定信号の送信側での光送信レベルが受信側での受信に適切なレベルに設定され、受信側の受光素子にダメージを与えないようにすることが可能となる。
【図面の簡単な説明】
【００１５】
【図１】本発明の第１の実施の形態における光トランシーバの構成例を示す図である。
【図２】本発明の第２の実施の形態における光トランシーバの構成例を示す図である。
【発明を実施するための形態】
【００１６】
本発明の第１の実施の形態について、図面を参照して説明する。
【００１７】
本実施の形態において、伝送距離に応じて光送信レベルを調整可能な光通信装置に搭載されていて、自装置と対向装置との間の伝送距離を測定し、測定結果にもとづいて自身の光送信レベルを設定する光トランシーバについて説明する。その中で、伝送距離の測定において、距離測定信号の送信側での光送信レベルを設定することについて説明する。
【００１８】
まず、本実施の形態における光トランシーバの構成について、図１を参照して説明する。
【００１９】
図１は本実施の形態における光トランシーバの構成例を示す。光トランシーバ１００は、光モジュール１１０、コントロール部１２０を備える。
【００２０】
光モジュール１１０は、発光素子１１１、受光素子１１２を備える。発光素子１１１、受光素子１１２は、例えば、それぞれ、レーザダイオード、アバランシェフォトダイオードを備えた光学部品である。
【００２１】
コントロール部１２０は、ドライバ１２１、コントローラ１２２、メモリ１２３を備える。
【００２２】
光トランシーバの各部を説明する。
【００２３】
発光素子１１１は、光信号を送信する。
【００２４】
受光素子１１２は、光信号を受信する。
【００２５】
ドライバ１２１は、発光素子１１１を駆動する。
【００２６】
コントローラ１２２は、ドライバ１２１の制御、伝送距離の算出などを行う。
【００２７】
メモリ１２３は、ドライバ１２１の駆動電流値などを保存する。
【００２８】
次に、本実施の形態における光トランシーバ１００の動作について、図１を参照して説明する。
【００２９】
なお、光トランシーバ１００が搭載された光通信装置と同様の光通信装置とが対向動作し、自装置と対向装置とで同時的に同様の動作が行われるものとする。ただし、その動作の説明は自装置についてのみ行う。
【００３０】
まず、光トランシーバ１００に外部より距離測定開始を示す信号が入力される。これにより、発光素子１１１の光出力を対向装置の受光素子の最大光受信レベルと同じレベルで行わせるバイアス電流と変調電流の値がドライバ１２１に設定される。なお、それらのバイアス電流と変調電流の値は予め対向装置の受光素子の最大光受信レベルの値にもとづいて算出されてメモリ１２３に保存されている。また、発光素子１１１の光出力は対向装置の受光素子の最大光受信レベル以下としてもよい。ドライバ１２１は設定された値のバイアス電流と変調電流で発光素子１１１を駆動し、発光素子１１１は光信号を送信する。一方、受光素子１１２は対向装置から送信された光信号を受信し、光受信レベルが測定される。このとき信号そのものの識別は不要である。コントローラ１２２は、例えば、次の式により、自装置と対向装置との間の伝送距離を算出する。
【００３１】
伝送距離［ｋｍ］＝（（対向装置の）光送信レベル［ｄＢｍ］−光受信レベル［ｄＢｍ］）／伝送損失［ｄＢ／ｋｍ］
なお、伝送損失の値は、予めメモリ１２３に保存されており、例えば、想定される範囲での最小値としてもよい。また、伝送距離は、例えば、設計上の最大値を上限としてもよい。
伝送距離、ならびに発光素子１１１および対向装置の受光素子の特性に適したレベルの発光素子１１１の光出力を導くバイアス電流と変調電流の値が予めメモリ１２３に保存されている。ドライバ１２１は算出された伝送距離に対応した値のバイアス電流と変調電流で発光素子１１１を駆動し、発光素子１１１は光信号を送信する。
【００３２】
以上のように、距離測定信号の光出力レベルを対向装置の受光素子の最大光受信レベル以下とすることで受光素子としてアバランシェフォトダイオードが用いられても距離測定信号の入力光により破壊されることはない。このように、伝送距離に応じて光送信レベルを調整可能な光通信装置間の伝送距離の測定において、距離測定信号の送信側での光送信レベルが受信側での受信に適切なレベルに設定され、受信側の受光素子にダメージを与えないようにすることが可能となる。
【００３３】
次に、本発明の第２の実施の形態について、図面を参照して説明する。
【００３４】
まず、本実施の形態の構成について、図２を参照して説明する。
【００３５】
図２は本実施の形態における光トランシーバの構成例を示す。光トランシーバ２００は、発光素子２１０を備える。
【００３６】
発光素子２１０は、光信号を送信する。
【００３７】
次に、本実施の形態における光トランシーバ２００の動作について、図２を参照して説明する。
【００３８】
発光素子２１０は伝送路を介して接続された対向受光素子の最大光受信レベル以下のレベルに設定されたパワーの信号光を出力する。なお、出力信号光は対向受光素子に到達したときにパワーが対向受光素子の最小受光レベルよりも大きいとする。
【００３９】
以上によれば、伝送距離に応じて光送信レベルを調整可能な光通信装置間の伝送距離の測定において、距離測定信号の送信側での光送信レベルが受信側での受信に適切なレベルに設定され、受信側の受光素子にダメージを与えないようにすることが可能となる。
【産業上の利用可能性】
【００４０】
本発明は、光トランシーバおよび制御方法に利用可能である。
【符号の説明】
【００４１】
１００    光トランシーバ
１１０    光モジュール
１１１    発光素子
１１２    受光素子
１２０    コントロール部
１２１    ドライバ
１２２    コントローラ
１２３    メモリ
２００    光トランシーバ
２１０    発光素子
【図１】
2015032937.tif 000003
【図２】
2015032937.tif 000004